(57)【要約】      （修正有）【課題】バイオ抗菌剤の抗菌効果によって口腔内細菌の増殖を抑える抗菌デンタルマウスピースを提供する。【解決手段】エチレン・酢酸ビニル共重合樹脂（ＥＶＡ）に食品添加剤として使われている、天然由来のバイオ抗菌剤であるプロタミンシリカを混入し、金型で成型する。【選択図】図３
0003198123.tif 000002
【実用新案登録請求の範囲】
【請求項１】
エチレン・酢酸ビニル共重合樹脂（ＥＶＡ）に食品添加剤として使われている、天然由来のバイオ抗菌剤であるプロタミンシリカを混入し、金型で成型したことを特徴とする抗菌デンタルマウスピース。
【考案の詳細な説明】
【技術分野】
【０００１】      本発明は、就寝時の口腔内部の細菌類等の増殖を抑制するため、天然由来のバイオ抗菌剤であるプロタミンシリカを混入した抗菌デンタルマウスピースに関する。
【背景技術】
【０００２】      就寝時に使用するデンタルマウスピースには、歯ぎしり用、いびきや無呼吸用などがある。このようなデンタルマウスピースには、就寝時の口腔内部の細菌類等の増殖を抑制することが求められている。しかし、これまで抗菌剤は、銀や銅等の重金属類が主流であり、毒性を併せ持つ素材であったため口腔内器具であるデンタルマウスピースに用いることは出来なかった。さらに、エチレン・酢酸ビニル共重合樹脂（ＥＶＡ）に混入できる安全性の高い天然由来の抗菌剤もなかった。【０００３】      上記のように安全性の高い抗菌剤がなかったため、従来から、使用者が自分で作るデンタルマウスピースに抗菌効果を示すものは販売されていなかった。また、デンタルマウスピースは、医療用具として歯科医や口腔外科医が個々に制作し提供する口腔ケア製品に抗菌効果を示すものはあるが病院での制作であり、通院時間がかかり、費用も高額である。さらに、一般に雑貨として量産して安価に提供されているデンタルマウスピースで、エチレン・酢酸ビニル共重合樹脂（ＥＶＡ）を素材とする抗菌デンタルマウスピースは存在しなかった。【０００４】      雑貨として提供されているシリコンゴムを素材としたマウスピースに貝殻から造った抗菌剤を混入して提供している製品はあるが、この抗菌剤は素材１００に対して混入する比率が３０％と高いため無機素材をベースとするシリコンゴムに混入して造ることは出来るが、エチレン・酢酸ビニル共重合樹脂（ＥＶＡ）のような有機素材に３０％も無機材を混入すると形はつくれてもエチレン・酢酸ビニル共重合樹脂（ＥＶＡ）製品の特性を生かすことはできない。【０００５】      エチレン・酢酸ビニル共重合樹脂（ＥＶＡ）を使う目的は７０度のお湯に浸して柔らかくして口に入れて噛み締め、樹脂の収縮によって歯型にピッタリとしたマウスピースを作ることであり、このエチレン・酢酸ビニル共重合樹脂である有機素材に混入する無機質抗菌剤は、素材１００に対し２％程度以内の量の抗菌剤でなければ硬くなり、７０度の温度で柔らかくし収縮させることができない。
【考案の概要】
【考案が解決しようとする課題】
【０００６】      本考案は、就寝時の口腔内細菌の増殖を抑制できる抗菌デンタルマウスピースを提供することを目的とする。
【課題を解決するための手段】
【０００７】      上記目的を達成すべく、本考案の抗菌デンタルマウスピースは、エチレン・酢酸ビニル共重合樹脂（ＥＶＡ）に食品添加剤として使われている天然由来のバイオ抗菌剤であるプロタミンシリカを混入し、金型で成型したことを特徴とする。
【考案の効果】
【０００８】      就寝時の口腔内細菌の増殖を抑制できる抗菌デンタルマウスピースを提供することができる。
【図面の簡単な説明】
【０００９】
【図１】本考案のバイオ抗菌剤プロタミンシリカを混入した、歯ぎしり用デンタルマウスピースの斜視図である。
【図２】本考案のバイオ抗菌剤プロタミンシリカを混入した、いびき無呼吸デンタルマウスピース部品斜視図である。
【図３】本考案のバイオ抗菌剤プロタミンシリカを混入した、いびき無呼吸デンタルマウスピース部品を組み立てた完成品斜視図である。
【図４】本考案のバイオ抗菌剤プロタミンシリカを混入し、金型で上下一体成型した、いびき無呼吸デンタルマウスピースの斜視図である。
【考案を実施するための形態】
【００１０】      本考案は、デンタルマウスピース素材、エチレン・酢酸ビニル共重合体樹脂（ＥＶＡ）１００に対し２％以内の量程度の天然由来のバイオ抗菌剤プロタミンシリカを混入してデンタルマウスピースを制作するものである。以下、図１から図４を参照して、本実施形態に係る抗菌デンタルマウスピースについて説明する。
【００１１】      なお、図１から図４のうち、符号１は、本考案のバイオ抗菌剤プロタミンシリカを混入した歯ぎしり用デンタルマウスピースの斜視図である。符号２は、本考案のバイオ抗菌剤プロタミンシリカを混入した、いびき無呼吸デンタルマウスピース本体部品斜視図である。符号３は、本考案のバイオ抗菌剤プロタミンシリカを混入した奥歯部品で、いびき無呼吸デンタルマウスピースを組み立てて口に入れて形成する際、顎を前に突き出して前歯の先端が当たる位置で噛み締めて作るとき、奥歯の部分にできる隙間を埋める奥歯部品斜視図である。符号４は、シリコン片で、デンタルマウスピースを使用中に、鼻が詰まったりして苦しくなった時に口呼吸ができるよう、前歯部分に挟んで空気孔を作るシリコン片斜視図である。
【００１２】      本実施形態に係るデンタルマウスピースに混入されている天然由来のバイオ抗菌剤プロタミンシリカは、安全性が認められているサケ白子由来のタンパク質プロタミンと環境負荷の極めて小さなシリカからなる食品由来のバイオ抗菌剤である。
【００１３】      有効抗菌成分であるプロタミンは脊髄動物の成熟精子核に含まれている。サケ白子由来プロタミンは塩基性アミノ酸であるアルギンを６０％以上含む高塩基性小分子タンパク質である。この性質が菌体の分裂や生育に必要な様々な分子に機能障害をもたらすと考えられている。人の体内では消化酵素の作用によりアミノ酸に分解される安全な物質であることがわかっており食品添加剤として使用され安全性が証明されている。
【００１４】      エチレン・酢酸ビニル共重合樹脂で造るデンタルマウスピースは、自宅で自分の歯型にピッタリしたデンタルマウスピースを７０度のお湯を使って作れることであり、そのためにはこの有機素材に混入する抗菌剤は素材１００に対し２％以内の量程度の極少量の添加が限度である。
【００１５】      エチレン・酢酸ビニル共重合樹脂に混入する添加物は、７０度の温度で使用することが目的でない場合は、多量に添加することもできるが、このデンタルマウスピースの場合は７０度の温度で収縮させることが目的なので少量で効果が得られる抗菌剤を２％以内の量程度を添加することで可能とした。
【００１６】      バイオ抗菌剤プロタミンシリカを混入して造るデンタルマウスピースには三種類あり、その一つは、歯ぎしりによる歯茎のダメージを防ぐために使用するタイプ（図１）。二つ目は、歯ぎしり用のデンタルマウスピースを上の歯部分と下の歯部分を使用者が組み立てて完成させて使用する、いびきや無呼吸などの原因となる開口防止用タイプ（図２、３）と、三つ目は、上の歯部分と下の歯部分のデンタルマウスピースをあらかじめ金型で一体成型したいびきや無呼吸などの原因となる開口防止用のデンタルマウスピース（図４）である。
【００１７】      歯ぎしり用のデンタルマウスピース（図１）は、７０度のお湯に３０秒ほど浸して柔らかくし、上の歯に入れて５〜６分ほど噛み締めて自分の歯型にピッタリのデンタルマウスピースを作り、就寝時の歯ぎしりによる歯茎のダメージを軽減するとともに、就寝時に増殖する口腔内細菌の増殖を抑える。
【００１８】      いびき、無呼吸用デンタルマウスピースは、歯ぎしり用のデンタルマウスピースを、上の歯用と下の歯用２個と奥歯部品２個、空気孔のシリコン片１〜２枚で構成され（図２）、これを使用者が組み立てて（図３）７０度のお湯に３０秒ほど入れて柔らかくして、口に入れて上の歯と下の歯の先端が当たる位置まで顎を突き出して５〜６分強く噛み合わせることにより上下のデンタルマウスピースが接着して一体型になり、自分の歯型にピッタリと合うデンタルマウスピースを作るものである。
【００１９】      また、いびき、無呼吸用のデンタルマウスピースには、あらかじめ上の歯と下の歯を一体形にして金型で成型したデンタルマウスピース（図４）があり、これを７０度のお湯に３０秒ほど入れて柔らかくし、口に入れて５〜６分ほど強く噛み合わせることにより自分の歯型にピッタリのデンタルマウスピースを作るものである。
【００２０】      射出成形機によって成型するため、あらかじめエチレン・酢酸ビニル共重合樹脂にバイオ抗菌剤プロタミンシリカを混入するためニーダーなどによって混合し、マスターバッチを造りそれをペレットにして射出成形機に投入し成型する。
【００２１】      以上のように、エチレン・酢酸ビニル共重合樹脂に、天然由来のバイオ抗菌剤プロタミンシリカを混入することにより、就寝時の細菌の増殖を抑制することが可能となる。人は起きているときは適時唾液が分泌されるので唾液の抗菌効果で細菌の増殖を抑制している。しかし、就寝時は睡眠のため唾液の分泌機能が低下して唾液が分泌されず、細菌の増殖環境が整ってしまうため口腔内の細菌種は３００種類を超え、１０億個以上にも細菌が増殖するため朝起きた時、口腔内の細菌により匂いや虫歯や歯肉炎をはじめ、無意識に飲み込んで体内に入ることによって成人病の原因にもなっていると報告されているが、これらの細菌類の増殖を抑制することが可能となる。
【符号の説明】
【００２２】      １  歯ぎしりデンタルマウスピース
２  いびき無呼吸デンタルマウスピース本体
３  いびき無呼吸デンタルマウスピース部品奥歯部品
４  いびき無呼吸デンタルマウスピース部品シリコン片
【図１】
0003198123.tif 000003
【図２】
0003198123.tif 000004
【図３】
0003198123.tif 000005
【図４】
0003198123.tif 000006